(57)【要約】【課題】ウェット状態になったときでも、番手毎の飛距離感覚がドライ状態のときと大きくずれることのないウッド型ゴルフクラブセットを提供する。【解決手段】本発明は、ロフト角が異なる複数本のウッド型のゴルフクラブを備えたウッド型ゴルフクラブセットにおいて、ロフト角が大きいゴルフクラブのフェース面の平均粗度は、それよりもロフト角が小さいゴルフクラブのフェース面の平均粗度よりも高く設定されていることを特徴とする。【選択図】  図１
2017169605.tif 000002
【特許請求の範囲】
【請求項１】
ロフト角が異なる複数本のウッド型のゴルフクラブを備えたウッド型ゴルフクラブセットにおいて、
ロフト角が大きいゴルフクラブのフェース面の平均粗度は、それよりもロフト角が小さいゴルフクラブのフェース面の平均粗度よりも高く設定されていることを特徴とするウッド型ゴルフクラブセット。
【請求項２】
前記ウッド型ゴルフクラブセットは３本以上のゴルフクラブを備えており、
ロフト角が大きくなるに従ってフェース面の平均粗度が高くなるように設定されていることを特徴とする請求項１に記載のウッド型ゴルフクラブセット。
【請求項３】
前記フェース面は、レーザーミーリングが施されていることを特徴とする請求項１又は２に記載のウッド型ゴルフクラブセット。
【発明の詳細な説明】
【技術分野】
【０００１】
本発明は、ウッド型ゴルフクラブセットに関する。なお、ここでのセットとは、ロフト角が異なる（番手が異なる）２本以上のウッド型のゴルフクラブによって構成されたものであり、例えば、同一シリーズや同一の型番として製造、販売されるもの、或いは、予め複数本のゴルフクラブがセット組みされているものが該当する。また、ウッド型ゴルフクラブセットには、ドライバー（１番ウッド）と称されるゴルフクラブを含まない（フェアウェイウッドやユーティリティ等と称される）セット組みであっても良い。
【背景技術】
【０００２】
従来、ウッド型ゴルフクラブ（以下、ゴルフクラブと称する）は、中空構造のヘッドを備えたものが主流となっており、打球の飛距離が伸びるようにヘッドを重量化したり、打球がぶれないように、ヘッドを大型化してヘッドの慣性モーメントを高くする等、様々な工夫が施されている。通常、プレーヤは、ラウンドするに際して複数本のゴルフクラブを携行しており、それは同一シリーズや同一型番のゴルフクラブで構築されることが多く、プレーヤは、プレー中、狙う距離に応じて番手（ロフト角）が異なるゴルフクラブを選択して打球する。
【０００３】
ところで、上記したゴルフクラブは、打球する際、バックスピンが安定してかかり弾道も安定するが、ボールとフェースの間に水分や芝などが介在して打球するとスピン量が極端に減少する、いわゆるフライヤーと呼ばれる現象が起きる。このようなフライヤーは、浮力を失いボールが急激に落下するドロップ現象や、スピン量が少ないことで異様に飛んでしまう現象を引き起こす。そこで、ヘッドのフェース面には、安定したスピン量が得られるように、例えば、特許文献１に開示されているようなスコアラインを形成することが行われており、更には、フェースの表面に細かな溝をレーザで彫刻するレーザーミーリングを施すことが知られている。このレーザーミーリングは、ゴルフクラブ全体でみると、全ての番手で同様な処理が施されており、したがって、セット組みされているウッド型ゴルフクラブのフェース面は、略同一の表面粗さとなっている。
【先行技術文献】
【特許文献】
【０００４】
【特許文献１】特開２０１６−１６１８３号
【発明の概要】
【発明が解決しようとする課題】
【０００５】
上記したように、プレーヤは、１ラウンドするにあたって、グリーンまでの距離に応じて、番手の異なる（ロフト角が異なる）ウッド型ゴルフクラブを使用する。  
ところが、雨が降った場合等、ある番手のクラブでは、スピン量（飛距離に影響）に差が生じてしまい、飛距離や打感の感覚が狂うことがある。通常、プレーヤは、フェース面が濡れていない状況（ドライ状態）で練習することが多く、このような状況下で、使用するクラブの飛距離を番手ごとにある程度把握している。このため、天候が雨の状態（ウェット状態）のプレーにおいてフェース面が濡れると、晴れた状態（ドライ状態）のときの感覚で打球しても、ある番手のクラブでは、思っていた状態のスピン量にならず、飛距離が変わったりランに差が生じてしまう。なお、フェース面に形成されたロールや重心位置などの影響によって、打球時のギア効果で番手ごとのスピン量は変わる。
【０００６】
上記のように、フェース面がウェット状態になると、打球時において、フェース面の表面とボールとの間には滑りが生じるようになる（ここでは、上下方向のみの滑りを考慮する）。この上下方向の滑りは、打球時にフェース面がボールに対して与えるスピン量を減らす要因となる。この場合、番手が大きくなる（ロフト角が大きくなる）と、打球時のボールはフェース表面に沿って転がる傾向が大きくなる。したがって、ウェット状態では、番手が大きい程、打球時のフェース面で上下方向の滑りが大きくなり易く、これにより、ボールに与えるスピン量の減少する度合いは大きくなる。すなわち、ロフト角が大きくなる程、ドライ状態で打球しているときとのスピン量差が大きくなる傾向になることから、プレーヤが思っている普段の番手毎の飛距離感覚が、大きな番手のゴルフクラブになる程、大きくずれてしまう。
【０００７】
本発明は、上記した問題に着目してなされたものであり、ウェット状態になったときでも、番手毎の飛距離感覚がドライ状態のときと大きくずれることのないウッド型ゴルフクラブセットを提供することを目的とする。
【課題を解決するための手段】
【０００８】
上記した問題を解決するために、本発明は、ロフト角が異なる複数本のウッド型のゴルフクラブを備えたウッド型ゴルフクラブセットにおいて、ロフト角が大きいゴルフクラブのフェース面の平均粗度は、それよりもロフト角が小さいゴルフクラブのフェース面の平均粗度よりも高く設定されていることを特徴とする。
【０００９】
通常、ロフトが大きい番手になる程、打球時におけるボールは、フェース面に対して滑る傾向が大きくなってスピン量の減少の度合いは大きくなるものの、上記したウッド型のゴルフクラブセットでは、ロフトが大きい番手になる程、フェース面の摩擦力を高く（フェース面の平均粗度が高く）設定しているため、滑りが抑制されるようになり、スピン量が減少する度合いを小さくすることができる。すなわち、ウェットコンディションにおいて、ロフトが大きい番手で打球しても、ドライコンディションにおけるスピン量との間の差を小さくすることができるため、雨の日等、番手によって飛距離感覚が異なることが抑制できる。
【００１０】
なお、上記したゴルフクラブセットは、フェアウェイウッドやユーティリティ等のゴルフクラブにおいて、ロフト角が小さいゴルフクラブと、それよりもロフト角が大きいゴルフクラブとの間で、フェース面の平均粗度が上記した関係になっていればよい。また、そのようなゴルフクラブセットは、３本以上であってもよく、１番ウッドを除いた複数のゴルフクラブの間の全てにおいて上記した関係となっていてもよい。
【発明の効果】
【００１１】
本発明によれば、ウェット状態になったときでも、番手毎の飛距離感覚がドライ状態のときと大きくずれることのないウッド型ゴルフクラブセットが得られる。
【図面の簡単な説明】
【００１２】
【図１】本発明に係るウッド型ゴルフクラブセットの各ヘッドのフェース面の好ましい平均粗度を説明するグラフ。
【発明を実施するための形態】
【００１３】
以下、本発明に係るゴルフクラブセットの実施形態について説明する。  
本実施形態に係るゴルフクラブセットは、中空構造のヘッドを備えており、３番ウッド（ロフト角を１５°に設定）、５番ウッド（ロフト角を１８°に設定）、７番ウッド（ロフト角を２１°に設定）、９番ウッド（ロフト角が２４°に設定）で構築されている。  
まずはこのようなゴルフクラブセットにおいて、ドライコンディションとウェットコンディションの状況下で、同一の条件で打球した際のスピン量と飛距離との関係を測定した結果を下記の表に示す。なお、ウェットコンディションは、フェース表面に霧吹き等により、水分を薄く万遍なく付着させた状態である。
【００１４】
ここでは、打球時の条件が一定となるように、株式会社ミヤマエ社製の試打ロボットを使用し、番手毎にゴルフクラブのスイングスピードが一定となるように設定（３５〜４０ｍ／ｓ）し、各ゴルフクラブで５球打球した際のスピン量（ｒｐｍ）の平均値と、飛距離の平均値（ｙａｒｄ）を測定している。
【００１５】
下記の表１は、各ゴルフクラブのフェース面を特に粗面化処理することなく、滑らかな状態にして、ドライコンディションとウェットコンディションで試打した結果を示す。この場合、各ゴルフクラブのフェース面については、その表面粗さは、最大の凹凸差Ｒｙが略５μｍとなっており、平均粗度Ｒａが略０．７μｍとなっている。  
【００１６】
【表１】
2017169605.tif 000003
表１に示されるように、ドライコンディションに対するウェットコンディションのスピン量は、ロフト角が大きくなる程、その減少量が大きくなる結果となった。すなわち、３番ウッドでは、スピン量は５０（ｒｐｍ）減少し、５番ウッドでは、スピン量は３００（ｒｐｍ）減少し、７番ウッドでは、スピン量は６００（ｒｐｍ）減少し、９番ウッドでは、スピン量は１０００（ｒｐｍ）減少しており、ロフト角が大きくなる程、スピン量の減少の度合いが大きくなった。
【００１７】
下記の表２は、各ゴルフクラブのフェース面を粗面化して、ドライコンディションとウェットコンディションで試打した結果を示す。この場合、各ゴルフクラブのフェース面については、レーザーミーリングによって粗面化処理を施しており、その表面粗さは、最大の凹凸差Ｒｙが略１０μｍ、平均粗度Ｒａが略２．０μｍとなっている。
【００１８】
【表２】
2017169605.tif 000004
表２に示されるように、ドライコンディションに対するウェットコンディションのスピン量は、５番ウッドでは略同じ結果が得られ、７番ウッドでは、スピン量は２００（ｒｐｍ）減少し、９番ウッドでは、スピン量は５００（ｒｐｍ）減少しており、平均粗度を高く設定することで、５番ウッドでは略同じ結果を得ることができた。なお、３番ウッドでは、ウェットコンディションでスピン量が多少、増加する結果が得られた（この原因については詳細に解明することはできないが、ロフト角、ロール、重心位置に伴うギア効果等が関連したものと考えられる）。
【００１９】
下記の表３は、各ゴルフクラブのフェース面を粗面化して、ドライコンディションとウェットコンディションで試打した結果を示す。この場合、各ゴルフクラブのフェース面については、レーザーミーリングによって粗面化処理を施しており、その表面粗さは、最大の凹凸差Ｒｙが略２０μｍ、平均粗度Ｒａが略３．５μｍとなっている。
【００２０】
【表３】
2017169605.tif 000005
表３に示されるように、ドライコンディションに対するウェットコンディションのスピン量は、７番ウッドでは略同じ結果が得られ、９番ウッドでは、スピン量は１００（ｒｐｍ）減少し、平均粗度を高く設定することで、７番ウッドでは略同じ結果を得ることができた。なお、３番、５番ウッドでは、ウェットコンディションでスピン量は多少、増加する傾向が得られた（上記のように、ロフト角、ロール、重心位置に伴うギア効果等が関連したものと考えられる）。
【００２１】
図１は、上記した表１から３の試打結果をグラフ化したものである。  
このグラフでは、縦軸がウェット状態とドライ状態でのスピン量の差を示しており、横軸がフェース面の表面粗度を示している。このグラフに見られるように、フェース面の表面粗度（平均粗度）を高くするにつれて、ロフト角が大きいゴルフクラブでは、スピン量の差をゼロに近づけることができるようになる。すなわち、スピン量の差がゼロに近づけば、ウェット状態のときでもドライ状態のときと略同じスピン量が得られ、飛距離の差も大きくならず、同じ感覚で打球できるようになる。
【実施例】
【００２２】
上記した測定結果に基づいて、ウッド型のゴルフクラブセット(フェアウェイウッドのセット)の各ゴルフクラブのヘッドのフェース面の表面粗さ（平均粗度）を設定する。すなわち、本実施例のセット組みでは、３番ウッド、５番ウッド、７番ウッド、９番ウッドを備えており、上記した試打結果に基づいて、ロフト角が大きくなるに連れてフェース表面の平均粗度を高くしている。
【００２３】
具体的には、表４に示されるように、３番ウッドのフェース表面の平均粗度を１．０μｍとし、それよりもロフト角が大きい５番ウッドのフェース表面の平均粗度を２．０μｍとし、それよりもロフト角が大きい７番ウッドのフェース表面の平均粗度を３．０μｍとし、それよりもロフト角が大きい９番ウッドのフェース表面の平均粗度を４．０μｍとすることで、全てのゴルフクラブにおいて、スピン量差を±１００以下（ｒｐｍ）に抑えるようにしている。すなわち、このように構築されたウッド型ゴルフクラブセットによればドライ状態／ウェット状態に関係なく、安定した飛距離、弾道が得られ、同じような感覚で打球することが可能となる。
【００２４】
【表４】
2017169605.tif 000006
なお、上記したような番手でセット組みされる場合、各ヘッドのフェース面の平均粗度に関しては、各番手間において高番手が高く設定されていればよく、全番手を考慮した場合、例えば以下のような範囲に設定しておくことで、少なくとも全ての番手で略同じ平均粗度に設定されたゴルフクラブセットよりも、安定した飛距離感、安定した弾道感が得られる。
【００２５】
【表５】
2017169605.tif 000007
以上、本発明の実施形態について説明したが、本発明は、セット組みされる各ウッド型ゴルフクラブのヘッドのフェース面に関し、少なくとも打球が成される部分（インパクトエリア）の範囲内の表面の平均粗度が上記した関係になっていれば良く、それ以外の構成（ヘッド本体の構成、シャフトの構成）については限定されることはない。この場合、ルール適合上、平均粗度Ｒａの上限値は４．５μｍ以下、最大の凹凸差Ｒｙが２５μｍ以下となっていれば良い。
【００２６】
また、本発明は、ウッド型のゴルフクラブにおいて、ロフト角が８°〜２５°の範囲でセット組みされる複数本のゴルフクラブが上記した関係となるようにフェース面が形成されていれば良く、ロフト角によって最適な表面粗度を選択すればよい。この場合、粗面化処理については、レーザーミーリングを施すことで、溝の深さや幅を制御して略均一に粗面化することが容易となり、ばらつきを抑制することが可能となる（フェース表面に形成されるスコアラインは、本発明の粗面化とは関係が無い）。なお、粗面化処理については、このようなレーザーミーリング以外にも、研磨処理、サンドブラスト処理等を用いても良い。
【図１】
2017169605.tif 000008